(57)【要約】【課題】煩わしくなく無駄なエネルギーを使用することなく短時間に浴室を高温にすることができるとともに、入浴中は入浴者の嗜好に合わせた循環気流の風向にすることができることを目的とする。【解決手段】運転初期では、風向変化手段１４を、吹出し口１１から吹き出される温風の風向をサウナ室１の洗い場１６側へ向くようにし、サウナ室１の温度が高温になると入浴者１７が設定した風向へ自動的に変化させるという構成にしたことにより、煩わしくなく無駄なエネルギーを使用することなく短時間にサウナ室１を高温にすることができるとともに、入浴中は入浴者１７の嗜好に合わせた循環気流の風向にすることができる浴室暖房乾燥機を得られる。【選択図】図２
2015051041.tif 000002
【特許請求の範囲】
【請求項１】
本体ケースに、浴室内の空気を前記本体ケース内に取り入れる吸込み口と、前記浴室内の空気を加熱する加熱手段と、前記加熱手段で加熱された空気を前記浴室内に吹き出す吹出し口と、前記吸込み口と前記加熱手段と前記吹出し口を連通する通風路と、前記通風路に設けられ前記浴室内の空気を循環させる循環送風手段と、前記吸込み口の近傍に設けられ前記浴室内の空気温度を検出する吸込み温度検知手段と、前記吹き出し口から前記浴室内に吹き出される温風の風向を変化させる風向変化手段とを備え、運転初期では、前記風向変化手段を、前記吹出し口から吹き出される温風の風向を前記浴室の洗い場側へ向くようにし、前記浴室の温度が高温になると入浴者が設定した風向へ自動的に変化させることを特徴とする浴室暖房乾燥機。
【請求項２】
前記吸込み口の近傍に設けられ前記浴室内の空気温度を検出する吸込み温度検知手段を備え、前記吸込み温度検知手段によって、前記浴室の温度が高温と判定したら前記風向変化手段を前記入浴者が設定した風向へ自動的に変化させることを特徴とする請求項１に記載の浴室暖房乾燥機。
【発明の詳細な説明】
【技術分野】
【０００１】
本発明は、浴室暖房乾燥機の風向制御に関するものである。
【背景技術】
【０００２】
従来、この種の浴室暖房乾燥機は、サウナ室の空気を加湿する加湿手段と、サウナ室の湿度状態を検出する湿度センサーと、加湿手段を制御するサウナ側制御手段とを設けたサウナ装置と、サウナ室の空気を加熱する加熱手段と、サウナ室の温度状態を検出する温度センサーと、サウナ室の空気を循環する循環送風手段と、送風方向を誘導する風向手段と、加熱手段と循環送風手段を制御する乾燥機側制御手段とを設けた浴室乾燥機とを備え、サウナ浴者が発汗した後で、加湿手段を停止させて加熱生成された温風を風向手段によりサウナ浴者に向けて送風することにより気化熱を奪うものが知られている（例えば、特許文献１参照）。
【先行技術文献】
【特許文献】
【０００３】
【特許文献１】特開２００５−２１８４８０号公報
【発明の概要】
【発明が解決しようとする課題】
【０００４】
このような従来のサウナ室の天井面に設置される家庭用ミストサウナ装置において、ミストサウナや暖房などサウナ室を高温にする運転の立上げ時における最適な風向は、サウナ室の洗い場に循環気流（温風）を吹き出す向きであり、一方、入浴者が入浴中に快適と感じる循環気流の風向は個人の嗜好によるもので、循環気流を洗い場に吹き出していると入浴者が直接温風にさらされることになり煩わしいと感じる場合があり、そのため、循環気流の吹き出し口に可動式の風向ルーバーを設け、入浴者の嗜好に合わせて風向設定可能とし、また、いったん風向設定するとその風向を記憶し、次回の運転時もその風向で運転を始める構成となっており、このとき、入浴者の嗜好が循環気流を洗い場に向けない風向である場合、入浴者は入浴前の運転立上げ時にはすばやく所定の温度までサウナ室を高温にするために風向を洗い場側へ向け、さらに入浴中は洗い場側を向けないように設定変更するのが煩わしく、また、サウナ室を高温にするに最適な風向が洗い場側であることを知らない入浴者は、サウナ室を高温にするためにより長い時間待たねばならず、無駄にエネルギーを使用することにもなっていた、という課題を有していた。
【０００５】
そこで本発明は、上記従来の課題を解決するものであり、煩わしくなく無駄なエネルギーを使用することなく短時間にサウナ室を高温にすることができるとともに、入浴中は入浴者の嗜好に合わせた循環気流の風向にすることができる浴室暖房乾燥機を提供することを目的とする。
【課題を解決するための手段】
【０００６】
そして、この目的を達成するために、本発明は、本体ケースに、サウナ室内の空気を前記本体ケース内に取り入れる吸込み口と、前記サウナ室内の空気を加熱する加熱手段と、前記加熱手段で加熱された空気を前記サウナ室内に吹き出す吹出し口と、前記吸込み口と前記加熱手段と前記吹出し口を連通する通風路と、前記通風路に設けられ前記サウナ室内の空気を循環させる循環送風手段と、前記吸込み口の近傍に設けられ前記サウナ室内の空気温度を検出する吸込み温度検知手段と、前記吹き出し口から前記サウナ室内に吹き出される温風の風向を変化させる風向変化手段とを備え、運転初期では、前記風向変化手段を、前記吹出し口から吹き出される温風の風向を前記サウナ室の洗い場側へ向くようにし、前記サウナ室の温度が高温になると入浴者が設定した風向へ自動的に変化させる、としたものであり、これにより所期の目的を達成するものである。
【発明の効果】
【０００７】
本発明によれば、本体ケースに、サウナ室内の空気を前記本体ケース内に取り入れる吸込み口と、前記サウナ室内の空気を加熱する加熱手段と、前記加熱手段で加熱された空気を前記サウナ室内に吹き出す吹出し口と、前記吸込み口と前記加熱手段と前記吹出し口を連通する通風路と、前記通風路に設けられ前記サウナ室内の空気を循環させる循環送風手段と、前記吸込み口の近傍に設けられ前記サウナ室内の空気温度を検出する吸込み温度検知手段と、前記吹き出し口から前記サウナ室内に吹き出される温風の風向を変化させる風向変化手段とを備え、運転初期では、前記風向変化手段を、前記吹出し口から吹き出される温風の風向を前記サウナ室の洗い場側へ向くようにし、前記サウナ室の温度が高温になると前記入浴者が設定した風向へ自動的に変化させる、という構成にしたことにより、運転立上げ時は、入浴者が嗜好に合わせて設定した風向に関わらず、吹出し口から吹き出される温風は風向変化手段によってサウナ室の洗い場側を向き、吸込み温度検知手段が所定の温度以上を検出すると風向変化手段が動作して入浴者が設定した風向に変化することとなるので、煩わしくなく無駄なエネルギーを使用することなく短時間にサウナ室を高温にすることができるとともに、入浴中は入浴者の嗜好に合わせた循環気流の風向にすることができる、という効果を得ることができる。
【図面の簡単な説明】
【０００８】
【図１】本発明の実施の形態１の浴室暖房乾燥機が取り付けられたサウナ室の斜視図
【図２】同浴室暖房乾燥機の側面構成図
【図３】同浴室暖房乾燥機のサウナ室を高温にする運転の立上げ時に最適な風向を示すサウナ室の側面構成図
【図４】同浴室暖房乾燥機の入浴者に直接温風を当てない風向を示すサウナ室の側面構成図
【発明を実施するための形態】
【０００９】
本発明の請求項１記載の浴室暖房乾燥機は、本体ケースに、サウナ室内の空気を前記本体ケース内に取り入れる吸込み口と、前記サウナ室内の空気を加熱する加熱手段と、前記加熱手段で加熱された空気を前記サウナ室内に吹き出す吹出し口と、前記吸込み口と前記加熱手段と前記吹出し口を連通する通風路と、前記通風路に設けられ前記サウナ室内の空気を循環させる循環送風手段と、前記吹き出し口から前記サウナ室内に吹き出される温風の風向を変化させる風向変化手段とを備え、運転初期では、前記風向変化手段を、前記吹出し口から吹き出される温風の風向を前記サウナ室の洗い場側へ向くようにし、前記サウナ室の温度が高温になると入浴者が設定した風向へ自動的に変化させる、という構成を有する。
【００１０】
これにより、運転立上げ時は、入浴者が嗜好に合わせて設定した風向に関わらず、吹出し口から吹き出される温風は風向変化手段によってサウナ室の洗い場側を向き、浴室の温度が高温になると風向変化手段が動作して入浴者が設定した風向に変化することとなるので、煩わしくなく無駄なエネルギーを使用することなく短時間に浴室を高温にすることができるとともに、入浴中は入浴者の嗜好に合わせた循環気流の風向にすることができる、という効果を奏する。
【００１１】
また、前記吸込み口の近傍に設けられ前記浴室内の空気温度を検出する吸込み温度検知手段を備え、前記吸込み温度検知手段が、前記浴室の温度が高温と判定したら前記風向変更手段を前記入浴者が設定した風向へ自動的に変化させる、という構成にしてもよい。
【００１２】
これにより、循環送風手段により吸込み口から浴室内の空気が吸い込まれ、その空気の温度を吸込み温度検知手段により検知し、浴室の温度が高温と判定したら風向変更手段を入浴者が設定した風向へ自動的に変化させることとなるので、浴室が高温後は、入浴者の嗜好に合わせた循環気流の風向にすることができる、という効果を奏する。
【００１３】
以下、本発明の実施の形態について図面を参照しながら説明する。
【００１４】
（実施の形態１）
図１において、１はサウナ室を示し、このサウナ室１の浴槽の上方の天井面２には浴室暖房乾燥機３が取り付けられている。
【００１５】
また、浴室暖房乾燥機３には、点検口（図示せず）から見て側面に温水配管４が、正面に給水配管５が接続されている。
【００１６】
図２に示すように、浴室暖房乾燥機３は、方形状の本体ケース６に、サウナ室１内の空気を本体ケース６内に取り入れる下方に設けた吸込み口７と、サウナ室１内の空気を加熱する第１加熱手段８と、第１加熱手段８で加熱された空気を加湿する加湿手段９と、加湿手段９で加湿されて温度が下がった空気を再加熱する加湿手段９の風下側に第２加熱手段１０と、第２加熱手段１０で再加熱された高温高湿の空気をサウナ室１に吹き出す吹出し口１１を配置し、吸込み口７と第１加熱手段８と加湿手段９と第２加熱手段１０と吹出し口１１をこの順番で通風路１２にて連通する。
【００１７】
通風路１２の途中には、サウナ室１内の空気を吸込み口７から本体ケース６内に取り入れ、吹出し口１１からサウナ室１に吹き出すための静圧にとって有利な遠心送風機である循環送風手段１３を設け、また、吹出し口１１にはサウナ室１に吹き出す空気の風向を変化させる風向変化手段１４であるルーバーを備えた構成となっている。
【００１８】
上記構成において、サウナ室１内を高温高湿の、いわゆるサウナ状態にするためには、まず、第１加熱手段８に給湯器（図示せず）から温水配管４を経由して温水（約８０℃）を供給し、この第１加熱手段８が十分に温まった状態（約６０℃）で、循環送風手段１３を駆動させる。
【００１９】
そして、循環送風手段１３を駆動させると、サウナ室１内の空気が吸込み口７から第１加熱手段８のフィン（図示せず）の間を通過して加熱されることとなる。
【００２０】
次に、加熱された空気は加湿手段９を通過するが、加湿手段９には給水配管５を経由して水が供給されており、この加湿手段９によって空気は加湿されることとなる。
【００２１】
このとき空気は加湿されることによって温度が低くなるが、次に空気は第２加熱手段１０に送られるが、この第２加熱手段１０には温水配管４を経由して温水が供給されており、十分に温まった第２加熱手段１０のフィンの間を通過して再加熱されることで、高温高湿の状態となり、吹出し口１１からサウナ室１に吹き出される。
【００２２】
それを繰り返すことでサウナ室１内は高温高湿のサウナ状態を維持することとなるのである。
【００２３】
また、サウナ室１内を高温の、いわゆる暖房状態にするためには、第１加熱手段８に温水配管４を経由して温水を供給し、この第１加熱手段８が十分に温まった状態で循環送風手段１３を駆動させ、サウナ室１内の空気を吸込み口７から取り入れ、温まった第１加熱手段８のフィンの間を通過させてサウナ室１内の空気を加熱する。
【００２４】
そして、加熱された高温の空気は通風路１２を経由して吹出し口１１からサウナ室１に吹き出され、これを繰り返すことでサウナ室１内は高温の暖房状態を維持することとなるのである。
【００２５】
そして、吹出し口１１には、風向変化手段１４であるルーバーを備え、サウナ状態を維持するための高温高湿の空気や暖房状態を維持するための高温の空気を、サウナ室１に吹き出すときの風向を変化させることができる。
【００２６】
また、吸込み口７の近傍には、サウナ室１の温度を的確に検知できるように第１加熱手段８の上流側にサーミスターである吸込み温度検知手段１５を備え、サウナ室１の空気の温度を検知する。
【００２７】
そして、入浴前にサウナ室１をすばやく高温高湿（例えば、４０℃、８０％）のサウナ状態や、高温の暖房状態にするためには、図３に示すように、風向変化手段１４によって高温高湿の空気や高温の空気をサウナ室１の洗い場１６側に向けて吹き出し、サウナ室１全体に高温高湿の空気や高温の空気が行き渡るようにすればいい。
【００２８】
一方、入浴者１７が入浴中に快適と感じる風向は個人の嗜好によるものであり、直接高温高湿の空気や高温の空気にさらされることを好まない入浴者１７は、図４に示すように、風向変化手段１４によって高温高湿の空気や高温の空気を洗い場１６でない方向（例えば浴槽の方向に）に吹き出させることができる。
【００２９】
また、いったん入浴者１７が設定した風向は、風向変化手段１４に記憶され、入浴者１７は次回の入浴時において再度風向を設定しなくても嗜好に合った風向を得られる。
【００３０】
ここで、吸込み温度検知手段１５によってサウナ室１内の空気が所定の温度より低い温度と検知した場合には、入浴者１７が前回の入浴時に設定した風向に関わらず、自動的に風向変化手段１４によって高温高湿の空気や高温の空気をサウナ室１の洗い場１６側に向け、すばやくサウナ室１を高温高湿のサウナ状態や高温の暖房状態にし、吸込み温度検知手段１５によってサウナ室１内の空気が所定の温度より高い温度と検知すると、自動的に風向変化手段１４によって入浴者１７が前回の入浴時に設定した風向になり、入浴者１７がサウナ室１が所定の温度になってから入浴をおこなうと、入浴中は入浴者１７が快適と感じる風向となるものである。
【００３１】
このような構成によれば、入浴前は自動で高温高湿のサウナ状態や高温の暖房状態を得るのに最適な風向にすることができるので、煩わしくなく無駄なエネルギーを使用することなく短時間に浴室を高温にすることができるとともに、入浴中は前回の入浴時に設定した風向にすることができるので、入浴者の嗜好に合わせた循環気流の風向にすることができる。
【産業上の利用可能性】
【００３２】
本発明にかかる浴室暖房乾燥機は、煩わしくなく無駄なエネルギーを使用することなく短時間に浴室を高温にすることができるとともに、入浴中は入浴者の嗜好に合わせた循環気流の風向にすることを可能とするものであるので、浴室暖房乾燥機に使用される風向制御等として有用である。
【符号の説明】
【００３３】
１    サウナ室
２    天井面
３    浴室暖房乾燥機
４    温水配管
５    給水配管
６    本体ケース
７    吸込み口
８    第１加熱手段
９    加湿手段
１０  第２加熱手段
１１  吹出し口
１２  通風路
１３  循環送風手段
１４  風向変化手段
１５  吸込み温度検知手段
１６  洗い場
１７  入浴者
【図１】
2015051041.tif 000003
【図２】
2015051041.tif 000004
【図３】
2015051041.tif 000005
【図４】
2015051041.tif 000006